(57)【要約】 【課題】  レバーを略平板状としたレバー式コネクタにおいて、ハウジング間のこじりを防止する。【解決手段】  第１ハウジング１０に取り付けたレバー３０のカム面３６，３７と第２ハウジング６０のカムフォロア６８，６９を当接させた状態でレバー３０を初期位置と嵌合位置との間で変位させると、カム面３６，３７とカムフォロア６８，６９との係合によるカム作用により両ハウジング１０，６０が嵌合又は離脱される。レバー３０は、複数のキャビティ１１の配置領域における概ね中央位置に配されているので、端子金具１２，６３間の摩擦に起因する嵌合抵抗はレバー３０の両側に振り分けられることとなり、嵌合過程や離脱過程でハウジング１０，６０間にこじりが生じることはない。【選択図】  図３
2006302763.tif 000002
【特許請求の範囲】
【請求項１】
端子金具を収容するための複数のキャビティが並んで設けられている第１ハウジングと、
略平板状をなし、前記第１ハウジングに初期位置と嵌合位置との間での変位を可能に取り付けられたレバーと、
カムフォロアを有し、前記第１ハウジングに対する嵌合及び離脱を可能とされた第２ハウジングとを備えており、
前記レバーのカム面と前記カムフォロアを当接させた状態で前記レバーを初期位置と嵌合位置との間で変位させることで、前記カム面と前記カムフォロアとの係合によるカム作用により両ハウジングが嵌合又は離脱されるようになっているレバー式コネクタにおいて、
前記レバーが、前記複数のキャビティの配置領域における概ね中央位置に配されていることを特徴とするレバー式コネクタ。
【請求項２】
前記レバーが、その板厚方向を前記複数のキャビティの並び方向とほぼ平行に向けた状態で取り付けられていることを特徴とする請求項１記載のレバー式コネクタ。
【請求項３】
前記レバーが、前記第１ハウジングに対して着脱可能とされており、
前記第１ハウジングと前記第２ハウジングには、互いに係合することにより前記両ハウジングを嵌合状態にロック可能なロック手段が設けられていることを特徴とする請求項１又は請求項２記載のレバー式コネクタ。
【請求項４】
前記第１ハウジングには、前記レバーを収容するための収容空間が設けられており、
前記第１ハウジング側の前記ロック手段が、前記複数のキャビティの並び方向におけるほぼ中央位置であって前記収容空間と連通する空間に収容されていることを特徴とする請求項３記載のレバー式コネクタ。
【発明の詳細な説明】
【技術分野】
【０００１】
本発明は、レバー式コネクタに関するものである。
【背景技術】
【０００２】
従来、レバー式コネクタとして、特許文献１に記載されているものがある。これは、第１ハウジングに、初期位置と嵌合位置との間で変位するようにレバーが取り付けられ、第２ハウジングにはカムフォロアが設けられており、レバーを初期位置に保持した状態で両ハウジングを浅く嵌合させることによりカムフォロアをレバーのカム溝に進入させ、その状態からレバーを嵌合位置まで変位させることで、カム溝とカムフォロアとの係合によるカム作用により両ハウジングが嵌合され、両ハウジングの端子金具同士が接続されるようになっている。
【特許文献１】特開平８−７８０９１号公報
【発明の開示】
【発明が解決しようとする課題】
【０００３】
上記のようなレバー式コネクタにおいて、小型化を図る手段として、レバーを一枚板状とし、このレバーを第１ハウジングの外面に重ねるように配する構造が考えられる。しかし、このような形態のものでは、端子金具間の摩擦に起因する嵌合抵抗のために、ハウジング同士が、レバーとカムフォロアとの係合部分、つまり第１ハウジングの外面を略支点として傾くことが懸念される。ハウジング同士が傾いた場合、ハウジング間にこじりが生じ、ハウジングの嵌合動作に支障を来す虞がある。  
本発明は上記のような事情に基づいて完成されたものであって、レバーを略平板状としたレバー式コネクタにおいて、ハウジング間のこじりを防止することを目的とする。
【課題を解決するための手段】
【０００４】
上記の目的を達成するための手段として、請求項１の発明は、端子金具を収容するための複数のキャビティが並んで設けられている第１ハウジングと、略平板状をなし、前記第１ハウジングに初期位置と嵌合位置との間での変位を可能に取り付けられたレバーと、カムフォロアを有し、前記第１ハウジングに対する嵌合及び離脱を可能とされた第２ハウジングとを備えており、前記レバーのカム面と前記カムフォロアを当接させた状態で前記レバーを初期位置と嵌合位置との間で変位させることで、前記カム面と前記カムフォロアとの係合によるカム作用により両ハウジングが嵌合又は離脱されるようになっているレバー式コネクタにおいて、前記レバーが、前記複数のキャビティの配置領域における概ね中央位置に配されているところに特徴を有する。
【０００５】
請求項２の発明は、請求項１に記載のものにおいて、前記レバーが、その板厚方向を前記複数のキャビティの並び方向とほぼ平行に向けた状態で取り付けられているところに特徴を有する。
【０００６】
請求項３の発明は、請求項１または請求項２に記載のものにおいて、前記レバーが、前記第１ハウジングに対して着脱可能とされており、前記第１ハウジングと前記第２ハウジングには、互いに係合することにより前記両ハウジングを嵌合状態にロック可能なロック手段が設けられているところに特徴を有する。
【０００７】
請求項４の発明は、請求項３記載のものにおいて、前記第１ハウジングには、前記レバーを収容するための収容空間が設けられており、前記第１ハウジング側の前記ロック手段が、前記複数のキャビティの並び方向におけるほぼ中央位置であって前記収容空間と連通する空間に収容されているところに特徴を有する。
【発明の効果】
【０００８】
＜請求項１の発明＞
端子金具間の摩擦に起因する嵌合抵抗はレバーの両側に振り分けられるので、嵌合過程や離脱過程でハウジング間にこじりが生じることはない。
【０００９】
＜請求項２の発明＞
レバーの板厚方向を複数のキャビティの並び方向とほぼ平行に向けているので、キャビティの並び方向においてハウジングを小型化することができる。
【００１０】
＜請求項３の発明＞
レバーを第１ハウジングに取り付けた状態で両ハウジングを嵌合すると、ロック手段同士の係合により両ハウジングが嵌合状態にロックされる。レバーを第１ハウジングから外した状態で両ハウジングを嵌合した場合も、ロック手段同士の係合により両ハウジングが嵌合状態にロックされる。本発明のレバー式コネクタは、レバー無しのコネクタとして兼用できるとともに、レバー無しの状態でもハウジング同士を嵌合状態にロックすることができる。
【００１１】
＜請求項４の発明＞
ロック手段が、複数のキャビティの並び方向におけるほぼ中央位置に配置されているので、両ハウジング間で傾きを生じさせることなく、確実にロック状態に保持することができる。また、ロック手段が収容される空間とレバー用の収容空間とが連通しているので、両空間の間に仕切り壁を設けたものと比較すると、第１ハウジングの小型化が可能となっている。
【発明を実施するための最良の形態】
【００１２】
＜実施形態１＞
以下、本発明を具体化した実施形態１を図１乃至図１５を参照して説明する。本実施形態のレバー式コネクタは、第１ハウジング１０と第２ハウジング６０とをレバー３０を用いて嵌合、離脱させるようにしたものである。
【００１３】
第１ハウジング１０は、合成樹脂製であり、全体として方形のブロック状をなす。第１ハウジング１０内には複数のキャビティ１１が左右に並んで形成されており、各キャビティ１１内には、前後方向に細長い雌端子金具１２（本発明の構成要件である端子金具）が後方から挿入され、雌端子金具１２の後端部に接続した電線１３が、第１ハウジング１０の後端面から後方へ導出されている。キャビティ１１に挿入された雌端子金具１２は、ランス１４による周知の一次係止作用によって抜止めされるとともに、後述するリテーナ５０による周知の二次係止作用によって抜止め状態にロックされるようになっている。雌端子金具１２には、リテーナ５０を係止させるための二次係止部１２ａが形成されている。
【００１４】
第１ハウジング１０には、左右方向における概ね中央位置に配された第１収容空間１５（本発明の構成要件である収容空間）が形成されている。この第１収容空間１５は、全体として幅狭の（左右方向の寸法が小さい）スペースとされていて、第１ハウジング１０の上面及び前後両端面においてスリット状に開放されている。この第１収容空間１５は、左右に並ぶ複数のキャビティ１１の配置領域における概ね中央位置に配置されている。
【００１５】
第１収容空間１５の左内側面（正面図をあらわす図３〜図５においては右側の内側面）には、前後方向及び上下方向におけるほぼ中央の位置から右方へ突出する略円柱状の支持軸１６が一体形成されている。支持軸１６の突出端の外周には前後一対の抜止め突起１６ａが形成され、同じく支持軸１６の突出端の上端部にはガイド斜面１６ｂが形成されている。第１収容空間１５の左内側面には、支持軸１６よりも斜め上後方の位置から右方へ突出する回動規制突起１７が形成されている。この支持軸１６の延出端面（右端面）と第１収容空間１５の右内側面との間には、後述するレバー３０を組み付けるためのスペースが空けられている。つまり、第１収容空間１５のうち支持軸１６の延出端面よりも左側の領域（左右方向において支持軸１６が形成されている領域）は、組付け後にレバー３０が収容されてカム動作（回動変位）を行うためのカム動作空間１５ａとなっており、第１収容空間１５のうち支持軸１６の延出端面よりも右側の領域は、レバー３０を組み付ける際に、レバー３０を左右方向へ移動させるために確保された組付用空間１５ｂとなっている。
【００１６】
第１収容空間１５の前端部には、その下端部に位置するとともに第１収容空間１５の左内側面と面一状をなす方形平板状の撓み保持片１８が形成されている。撓み保持片１８は、下方へ片持ち状に延出する形態とされ、上端縁を支点として左方（第１収容空間１５から退避する方向）へ弾性撓みし得るようになっている。撓み保持片１８の右外側面（第１収容空間１５の左内側面と面一の側面）の下端部には、保持突起１９と、保持突起１９よりも前方に位置する解除突起２０が形成されている。解除突起２０の前端部にはガイド斜面２０ａが形成されている。撓み保持片１８が弾性撓みしていない状態において、保持突起１９と解除突起２０は、第１収容空間１５内に突出している。
【００１７】
第１ハウジング１０には、第１収容空間１５の右側に隣接し、且つ第１収容空間１５の組付用空間１５ｂと連通した形態の第２収容空間２１が形成されている。第２収容空間２１は、第１ハウジング１０の上面及び前後両端面に開放されていて、この第２収容空間２１も第１収容空間１５と同様に左右に並ぶ複数のキャビティ１１の配置領域における概ね中央位置に配置されている。また、高さ方向における第２収容空間２１の形成領域は、第１収容空間１５の略上半分領域と対応する範囲となっている。
【００１８】
この第２収容空間２１内には、ロックアーム２２（本発明の構成要件であるロック手段）が収容されている。ロックアーム２２は、全体として前後方向に細長く延び、ロックアーム２２の前端部が脚部２２ａを介して第２収容空間２１の底面に連結されている。つまり、ロックアーム２２は、後方へ片持ち状に延出する形態であって、脚部２２ａを略支点として上下方向へ傾動しつつ弾性撓みし得るようになっている。ロックアーム２２の上面には、前後方向におけるほぼ中央位置から上方へ突出する形態のロック突起２３が形成されており、ロックアーム２２の後端部（延出端部）には上方へ突出した形態の解除操作部２４が形成されている。また、ロックアーム２２の左外側面は、第１収容空間１５の右内側面よりも右方へ奥まった形態となっていて、この奥まった空間が逃がし部２５となっている。
【００１９】
第１収容空間１５内にはレバー３０が収容されている。尚、以下の説明における上下左右の向きについては、レバー３０が嵌合位置に回動した状態（図４、図８及び図１５を参照）を基準として説明する。  
レバー３０は、合成樹脂製であり、全体として概ね平板状をなし、本体部３１とカム操作部４１とを一体形成したものである。本体部３１は、全体として板厚方向を左右方向（キャビティ１１の並び方向と平行な方向）に向けた平板状をなし、側方から見て前後方向に長く、前端部と下端部において下端側を斜めに切欠した形状をなす。本体部３１は、前後方向においてほぼ２／３を占める母体部３２と、母体部３２の前端部下端位置から斜め前上方へ片持ち状に延出した形態、即ちレバー３０の本体部３１の外周縁に沿って片持ち状に延びた形態のカム部３３とからなる。
【００２０】
母体部３２には、左右方向（板厚方向）に貫通する円形の軸受孔３４が形成されており、軸受孔３４の孔縁部には一対の切欠部３４ａが形成されている。また、母体部３２の左外側面には、母体部３２の下端縁から軸受孔３４に至るガイド斜面３２ａが形成されている。さらに、母体部３２の後端部には、その左側面を切欠した形態の回動規制溝３５が形成されている。母体部３２の前端面はカム部３３の後端面（嵌合用カム面３６）と対向している。
【００２１】
カム部３３の後端面は、嵌合用カム面３６とされており、カム部３３の前端面は、離脱用カム面３７とされている。嵌合用カム面３６と母体部３２の前端面との間には、上方へ開放された形態のカム溝３８が形成されている。このカム溝３８の一方の溝側面を構成している母体部３２の前端面の長さは、カム溝３８の他方の溝側面を構成している嵌合用カム面３６の長さよりも短くなっている。つまり、カム溝を構成する２つの溝側面がほぼ同じ長さであるレバー（図示せず）と比較すると、本実施形態のレバー３０では、一方の溝側面の形成母体の一部（上端部）を切欠して上下寸法を小さくした形態となっている。
【００２２】
母体部３２の前端縁とカム部３３の後端縁との間には、本体部３１と平行であり且つ本体部３１よりも薄い平板状をなす補強部３９が張り渡されている。換言すると、カム部３３は、その基端部だけでなく、基端部から延出端に至る領域に亘って母体部３２に連結されている。また、カム部３３には、その左側面を切欠した形態の保持凹部４０が形成されている。
【００２３】
本体部３１（母体部３２）の後端部には、カム操作部４１が一体に形成されている。カム操作部４１は、母体部３２の後端部上面から少し上方へ立ち上げて上面をほぼ水平とした形態となっている。カム操作部４１の左右方向の寸法は本体部３１の板厚寸法と同じであり、カム操作部４１の左側縁からは、前後寸法がカム操作部４１と同じであって、上面がカム操作部４１と面一状とされた略方形の拡幅部４２が延出されている。一方、カム操作部４１の右側縁からは、前後寸法がカム操作部４１よりも小さく、上面をカム操作部４１と面一状にするとともに、前端面をカム操作部４１の前端面と面一状とした略方形の干渉規制部４３が延出されている。そして、カム操作部４１の上面、拡幅部４２の上面及び干渉規制部４３の上面は、作業者が指を宛がうのに充分広い面積を有する平坦状の指当て面４４となっている。
【００２４】
第１ハウジング１０には、その下面に開口するリテーナ取付孔４５が形成されている。リテーナ取付孔４５の形成領域は、前後方向において第１ハウジング１０のほぼ中央位置となっている。また、リテーナ取付孔４５は、キャビティ１１と第１収容空間１５にも連通されている。このリテーナ取付孔４５には、リテーナ５０が下方から組み付けられている。  
リテーナ５０は、合成樹脂製であって、リテーナ５０には、各キャビティ１１と対応する複数の抜け規制部５１と、第１収容空間１５の組付用空間１５ｂと対応する変位規制リブ５２が形成されている。リテーナ５０は、周知の係止手段により、第１ハウジング１０に対し、仮係止位置と、仮係止位置よりも上方の本係止位置のいずれかに取り付けられるようになっているとともに、仮係止位置と本係止位置との間で上下移動し得るようになっている。
【００２５】
第２ハウジング６０は、合成樹脂製であって、端子保持部６１と、端子保持部６１から前方へ延出する角筒状のフード部６２とを一体形成したものである。端子保持部６１には雄端子金具６３が収容され、端子保持部６１の前端面から突出した雄端子金具６３の前端のタブ６３ａはフード部６２によって包囲されている。  
フード部６２の上面板には、左右方向においてフード部６２のほぼ中央に位置し、上面板の下面（内面）から突出する形態のロック用受け部６４（本発明の構成要件であるロック手段）が形成されている。フード部６２内におけるロック用受け部６４の右方位置（図１１における左方位置）には、板厚方向を左右方向に向けた平板状をなす機能発生部６５が形成されている。機能発生部６５は、フード部６２の奥端面（端子保持部６１の前端面）から前方へ延出する略方形の支持板部６６と、支持板部６６の上端部から前方へ延出する第１リブ６７とから構成される。支持板部６６の上端縁はフード部６２の上面板に連なるが、支持板部６６の下端縁はフード部６２の片面板よりも上方へ離間した位置に配されている。第１リブ６７の上端縁は、支持板部６６と同様にフード部６２の上面板に連なっている。
【００２６】
支持板部６６の右側面には、上下方向においてフード部６２のほぼ中間の高さの位置から突出する略円柱状の嵌合用カムフォロア６８が形成されている。同じく支持板部６６の右側面には、嵌合用カムフォロア６８に対して斜め下後方の位置から突出する離脱用カムフォロア６９が形成されている。離脱用カムフォロア６９の前端面は、両ハウジング１０，６０の嵌合方向に対して斜めをなす離脱用摺接面６９ａとなっている。さらに、支持板部６６の右側面には、離脱用カムフォロア６９の下方位置から突出する突起状の解除部７０が形成されている。解除部７０の後端面はガイド斜面７０ａとなっている。さらに、フード部６２内におけるロック用受け部６４よりも左方の位置には、上面板に連なった形態の第２リブ７１が形成されている。前後方向における第２リブ７１の形成範囲は、第１リブ６７の前端からフード部６２の奥端面に至る領域となっている。また、第１リブ６７の下面と第２リブ７１の下面は同じ高さとされている。
【００２７】
次に、本実施形態の作用を説明する。  
まず、第１ハウジング１０にレバー３０を組み付ける工程を説明する。組付けに際しては、レバー３０を図８及び図１５に示す姿勢、即ち嵌合位置に回動させたときの姿勢にして第１ハウジング１０の上方から第１収容空間１５の組付用空間１５ｂ内に差し込む。このとき、軸受孔３４に連なるガイド斜面３２ａを支持軸１６の先端部に対応させ、支持軸１６の先端面をガイド斜面３２ａ上で摺接させる。そして、レバー３０が所定の組付け高さまで落とし込まれたところで、レバー３０を板厚方向左側へ移動させると、支持軸１６の抜止め突起１６ａが軸受孔３４の切欠部３４ａを通過しつつ支持軸１６と軸受孔３４とが嵌合される。これにより、レバー３０は、第１ハウジング１０に対し、第１収容空間１５内に収容されてロックアーム２２の左側近傍に並ぶように配置された状態で、支持軸１６を中心とする回動を可能に組み付けられ、組付け工程が完了した時点では、レバー３０は嵌合位置にある。
【００２８】
レバー３０を組み付けた後は、第１ハウジング１０のリテーナ取付孔４５に下からリテーナ５０を取り付け、周知の係止手段により仮係止位置に保持する。この状態では、抜け規制部５１がキャビティ１１における雌端子金具１２の挿入経路の下方へ退避しているので、キャビティ１１に対する雌端子金具１２の挿入及び抜き取りが可能となっている。リテーが仮係止位置にある状態で雌端子金具１２を挿入し、その後、リテーナ５０を本係止位置へ押し上げると、抜け規制部５１が挿入済みの雌端子金具１２の二次係止部１２ａに係止し、もって、雌端子金具１２が抜止め状態に保持される。
【００２９】
また、レバー３０を第１収容空間１５内に組み付けた状態では、レバー３０が第１収容空間１５のうち左側のカム動作空間１５ａ内に配され、第１収容空間１５の右側領域である組付用空間１５ｂが空いた状態となっているため、レバー３０が組付用空間１５ｂ側へ不正に変位することが懸念される。しかし、本実施形態では、リテーナ５０を第１ハウジング１０に取り付けることにより、変位規制リブ５２が組付用空間１５ｂ内に進出して、変位規制リブ５２の左側面がレバー３０の右側面に対して近接又は接触した状態で対向するので、レバー３０が組付用空間１５ｂ側へ変位する虞はない。
【００３０】
レバー３０が取り付けられた第１ハウジング１０と第２ハウジング６０を嵌合する際には、嵌合位置に組み付けられているレバー３０を、予め、図１３に示す初期位置まで回動させておく。レバー３０を初期位置まで回動させると、レバー３０の回動規制溝３５が第１収容空間１５の回動規制突起１７に嵌合して当接することにより、それ以上のレバー３０の回動が規制される。また、レバー３０が初期位置に至ると、レバー３０の保持凹部４０が第１収容空間１５の保持突起１９に嵌合することにより、レバー３０のそれ以上の回動及び嵌合位置側へ戻る方向への回動が規制される。以上により、レバー３０が初期位置に保持される。
【００３１】
この状態から両ハウジング１０，６０を接近させ、第１ハウジング１０をフード部６２内に浅く嵌入する。すると、図１３に示すように、嵌合用カムフォロア６８がレバー３０の嵌合用カム面３６の先端部と対応するように位置するとともに、第２ハウジング６０の解除部７０が第１ハウジング１０の解除突起２０に当接して撓み保持片１８をレバー３０から離間させる方向（図１３における紙面手前側）へ弾性撓みさせる。この弾性撓みに伴ない、保持突起１９がレバー３０の保持凹部４０から解離し、レバー３０が、移動規制を解除されて嵌合位置側への回動を許容された状態となる。
【００３２】
この状態から、レバー３０の後端部の指当て面４４に指を当ててカム操作部４１を押し下げるようにしつつ、レバー３０を嵌合位置側（図１３〜図１５における時計回り方向）へ回動させると、嵌合用カム面３６と嵌合用カムフォロア６８との係合によるカム作用により、両ハウジング１０，６０が互いに引き寄せられる。この間、ロック突起２３がロック用受け部６４と干渉することにより、図１４に示すように、ロックアーム２２がその解除操作部２４（後端部）を下方へ変位させるようにしつつ、弾性撓みさせられる。また、機能発生部６５が組付用空間１５ｂ内に進入してレバー３０の右外側面及び組付用空間１５ｂの右内側面に対して近接又は接触した状態で対向するとともに、第２リブ７１が、ロックアーム２２の右外側面と第２収容空間２１の右内側面との間のスリット状空間にほぼ緊密に進入することにより、第１ハウジング１０と第２ハウジング６０とが斜め姿勢になる状態（コジリ）が回避される。また、解除部７０が解除突起２０を通過することにより、撓み保持片１８が弾性復帰する。
【００３３】
そして、図１４に示す状態を経てレバー３０が図１５に示す嵌合位置に達すると、ロック用受け部６４がロック突起２３を通過することにより、ロックアーム２２が弾性復帰して、ロック突起２３とロック用受け部６４とが前後方向に係止し、この係止作用によって両ハウジング１０，６０が離脱規制された状態にロックされる。また、嵌合用カムフォロア６８がカム溝３８の奥端部に当接することにより、それ以上（初期位置へ戻る方向へ）のレバー３０の回動が規制される。以上により、両ハウジング１０，６０の嵌合作業が完了し、雄端子金具６３のタブ６３ａと雌端子金具１２とが導通可能に接続される。
【００３４】
また、両ハウジング１０，６０が正規嵌合した状態では、レバー３０のカム操作部４１がロックアーム２２の解除操作部２４の側方（左側）に並ぶように、且つほぼ同じ高さに位置し、レバー３０の干渉規制部４３が、ロックアーム２２の後端部上面における解除操作部２４よりも僅かに前方の領域に対して、上から重なるように位置する。しかし、上記のように嵌合用カムフォロア６８とカム溝３８との当接により、干渉規制部４３の下方への変位が規制されているので、干渉規制部４３に下向きの外力が作用しても、干渉規制部４３が下降してロックアーム２２をロック解除方向へ弾性撓みさせることはない。また、干渉規制部４３とカム操作部４１は解除操作部２４の近傍に位置しているのであるが、この干渉規制部４３とカム操作部４１の上面（指当て面４４）の高さは、解除操作部２４の上面よりも少し高い位置に設定されている。
【００３５】
嵌合状態にロックされている両ハウジング１０，６０を離脱する際には、解除操作部２４を押し下げてロックアーム２２を弾性撓みさせることにより、ロック突起２３をロック用受け部６４から解離させ、両ハウジング１０，６０を離脱可能なロック解除状態とする。そして、この状態からカム操作部４１を摘んでレバー３０を嵌合位置から初期位置側へ回動操作する。すると、離脱用カム面３７と離脱用カムフォロア６９との係合によるカム作用により、第１ハウジング１０がフード部６２の外へ押し出され、両ハウジング１０，６０が次第に離間していく。この間、嵌合用カムフォロア６８はカム溝３８内を移動し、嵌合用カム面３６と嵌合用カムフォロア６８とが前後方向に対向する状態のままである。
【００３６】
そして、レバー３０が初期位置に至ると、嵌合用カムフォロア６８が、嵌合用カム面３６の先端から外れて、カム部３３の上端（延出端）よりも上方に位置する状態となる。あとは、この状態から両ハウジング１０，６０を引き離せば離脱させることができる。  
尚、レバー３０を嵌合位置から初期位置へ回動させる間、解除突起２０のガイド斜面２０ａが解除部７０に当接することにより、撓み保持片１８がレバー３０から離間する方向へ弾性撓みし、レバー３０が初期位置に達したところで、撓み保持片１８が弾性復帰して保持突起１９と保持凹部４０とが嵌合し、レバー３０が初期位置において正逆両方向への回動を規制された状態に保持される。
【００３７】
上述のように本実施形態においては、レバー３０が、複数のキャビティ１１の配置領域における概ね中央位置に配されているので、雌端子金具１２と雄端子金具６３との間の摩擦に起因する嵌合抵抗はレバー３０の左右両側に振り分けられることになる。したがって、嵌合過程や離脱過程でハウジング１０，６０間にこじりが生じることはない。  
また、レバー３０の板厚方向を複数のキャビティ１１の並び方向とほぼ平行に向けているので、キャビティ１１の並び方向において第１ハウジング１０を小型化することができる。  
また、レバー３０が、第１ハウジング１０に対して着脱可能とされており、第１ハウジング１０と第２ハウジング６０には、互いに係合することにより両ハウジング１０，６０を嵌合状態にロック可能なロック手段（ロックアーム２２とロック用受け部６４）が設けられているので、本実施形態のレバー式コネクタは、レバー無しのコネクタとして兼用できるとともに、レバー無しの状態でもハウジング１０，６０同士を嵌合状態にロックすることができる。  
また、ロック手段（ロックアーム２２とロック用受け部６４）が、複数のキャビティ１１の並び方向におけるほぼ中央位置に配置されているので、両ハウジング１０，６０間で傾きを生じさせることなく、確実にロック状態に保持することができる。また、ロック手段としてのロックアーム２２が収容される第２収容空間２１とレバー３０を収容するための第１収容空間１５とが連通しているので、両空間の間に仕切り壁を設けたものと比較すると、第１ハウジング１０の小型化が可能となっている。
【００３８】
また、本実施形態のレバー３０は、嵌合用カム面３６を形成するための肉部と離脱用カム面３７を形成するための肉部が、共通の肉部であるカム部３３とされ、しかも、一方のカム面（離脱用カム面３７）がレバー３０の外周縁に沿った形態とされている。したがって、嵌合用カム面を形成するための肉部と離脱用カム面を形成するための肉部が別々であるレバー（即ち、カム溝の２つの溝側面が嵌合用カム面及び離脱用カム面となっているレバー）に比べて小型化が実現されている。  
また、レバー３０は、概ね平板状をなしているので、操作部の両端から一対のアーム部を延出させた形態のレバーに比べて小型化を図ることができる。  
また、カム部３３は、母体部３２から片持ち状に延出する形態であるため、ハウジングの嵌合又は離脱中に母体部３２に対して相対的に変位し、両ハウジング１０，６０の嵌合動作又は離脱動作が正しく行われなくなることが懸念される。しかし、本実施形態では、カム部３３と母体部３２を補強部３９によって連結しているので、カム部３３が母体部３２に対して相対変位する（レバー３０が変形する）虞はない。
【００３９】
また、レバー３０が第１ハウジング１０に組み付けられた状態では、第１収容空間１５内に、支持軸１６と軸受孔３４との嵌合の際にレバー３０を移動させるための組付用空間１５ｂが残存する。しかし、本実施形態では、この組付用空間１５ｂは、両ハウジング１０，６０の嵌合に伴って第２ハウジング６０の機能発生部６５を進入させるための空間として有効利用されるので、デッドスペースとならずに済んでいる。  
また、両ハウジング１０，６０が嵌合した状態において、レバー３０が板厚方向へ変位しようとしても、レバー３０の外側面が機能発生部６５に当接することによって、レバー３０の板厚方向へのガタ付きが防止される。  
また、機能発生部６５は、第１収容空間１５の右内側面との間でレバー３０を挟む形態とされているので、レバー３０の板厚方向へのガタ付きが確実に規制される。  
また、機能発生部６５は嵌合用カムフォロア６８及び離脱用カムフォロア６９の形成母体として機能しているので、機能発生部６５とは別に専用のカムフォロア支持手段を設ける場合に比べて、第２ハウジング６０の形状が簡素化されている。
【００４０】
また、第１ハウジング１０にリテーナ５０を組み付けた状態においては、レバー３０が板厚方向へ変位しようとしても、組付用空間１５ｂ内に進入している変位規制リブ５２にレバー３０の右外側面が当接することによって、レバー３０の板厚方向へのガタ付きが防止される。  
また、変位規制リブ５２が、雌端子金具１２の抜止め手段であるリテーナ５０に一体形成されているので、変位規制手段をリテーナとは別体の部品とした場合に比べて、部品点数が少なくて済んでいる。  
また、レバー３０は、変位規制リブ５２の左外側面と第１収容空間１５の右内側面との間で挟まれるので、板厚方向へのガタ付きが確実に規制されている。
【００４１】
また、レバー３０がロックアーム２２の近傍に配されていて、両ハウジング１０，６０が嵌合された状態では、レバー３０に設けた干渉規制部４３によってロックアーム２２の解除操作部２４に対する異物の干渉を規制したので、異物の干渉に起因してロックアーム２２がロック解除方向へ不正に変位することが防止される。  
また、レバー３０のカム操作部４１がロックアーム２２の解除操作部２４の近傍に配されているので、ロックアーム２２によるロック解除操作に引き続いてレバー３０を変位させるカム操作を行うことができ、作業性がよい。  
また、本実施形態では、レバー３０が、略平板状をなすとともに、その板面と略平行な方向（板厚方向と直角な方向）に変位するようになっているため、レバー３０のカム操作部４１の面積を充分大きく確保できないことが懸念される。しかし、本実施形態では、干渉規制部４３をカム操作部４１から板厚方向へ延出する形態としてたので、干渉規制部４３もカム操作部４１として利用することができ、レバー３０の操作性がよい。
【００４２】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではレバーを第１ハウジングに対して着脱可能としたが、本発明によれば、レバーを第１ハウジングから外せない形態としてもよい。  
（２）上記実施形態ではレバーを回動させるようにしたが、本発明は、レバーが平行移動（スライド）するタイプのレバー式コネクタにも適用できる。  
（３）上記実施形態ではレバーを第１ハウジングに形成されている支持軸に組み付けて支持したが、本発明によれば、第１ハウジングとは別体の軸部材によってレバーを第１ハウジングに支持してもよい。  
（４）上記実施形態ではレバーの板厚方向をキャビティの並び方向と平行に向けたが、本発明によれば、レバーの板厚方向はキャビティの並び方向と略直角な方向としてもよい。  
（５）上記実施形態ではレバーの収容空間とロックアームの収容スペースを連通させたが、本発明によれば、レバーの収容空間とロックアームの収容スペースを仕切り壁で区画してもよい。  
（６）上記実施形態では第１ハウジングに弾性撓み可能なロックアームを設け、第２ハウジングには変形しないロック用受け部を設けたが、本発明によれば、第１ハウジングにロック用受け部を設け、第２ハウジングにロックアームを設けてもよい。
【図面の簡単な説明】
【００４３】
【図１】実施形態１においてレバーが初期位置にある状態をあらわす平面図
【図２】レバーを外した状態をあらわす第１ハウジングの平面図
【図３】レバーが初期位置にある状態をあらわす第１ハウジングの正面図
【図４】レバーが嵌合位置にある状態をあらわす第１ハウジングの正面図
【図５】レバーを外した状態をあらわす第１ハウジングの正面図
【図６】図５のＸ−Ｘ線断面図
【図７】図５のＹ−Ｙ線断面図
【図８】レバーの側面図
【図９】レバーの平面図
【図１０】リテーナの正面図
【図１１】第２ハウジングの正面図
【図１２】第２ハウジングの断面図
【図１３】レバーが初期位置にあって第２ハウジングが第１ハウジングと初期嵌合した状態をあらわす断面図
【図１４】両ハウジングの嵌合過程をあらわす断面図
【図１５】両ハウジングが嵌合した状態をあらわす断面図
【符号の説明】
【００４４】
１０…第１ハウジング
１１…キャビティ
１２…端子金具
１５…第１収容空間
２１…第２収容空間
２２…ロックアーム（ロック手段）
３０…レバー
３６…嵌合用カム面
３７…離脱用カム面
６０…第２ハウジング
６４…ロック用受け部（ロック手段）
６８…嵌合用カムフォロア
６９…離脱用カムフォロア
【図１】
2006302763.tif 000003
【図２】
2006302763.tif 000004
【図３】
2006302763.tif 000005
【図４】
2006302763.tif 000006
【図５】
2006302763.tif 000007
【図６】
2006302763.tif 000008
【図７】
2006302763.tif 000009
【図８】
2006302763.tif 000010
【図９】
2006302763.tif 000011
【図１０】
2006302763.tif 000012
【図１１】
2006302763.tif 000013
【図１２】
2006302763.tif 000014
【図１３】
2006302763.tif 000015
【図１４】
2006302763.tif 000016
【図１５】
2006302763.tif 000017